(57)【要約】    【課題】  本発明は、Windows（Ｒ）等のＯＳにより管理されているユーザ情報とジョブアカウントシステムにより管理されているユーザ情報との同期を自動的に行なうことが可能なジョブ管理装置を提供する。    【解決手段】  ジョブアカウントシステムは、クライアントコンピュータ１０１０，１０２０と、ジョブ管理装置である拠点サーバコンピュータ１０３０と、ジョブ履歴を保持するためのジョブ履歴保持機能を備えるプリンタ１０４０とで構成され、拠点サーバコンピュータ１０３０が存在するドメインとの間に信頼関係があるオペレーティングシステムのドメインにより管理されているユーザ情報が追加あるいは削除された場合に、その情報が即時又は定期的にジョブアカウントシステムにより管理されているユーザ情報に反映される。【選択図】      図１３
2005284950.tif 000002
【特許請求の範囲】
【請求項１】
情報処理装置から周辺機器へ出力されたジョブ情報を、ジョブを管理するためのユーザ情報に基づいて管理するジョブ管理装置において、
当該ジョブ管理装置を含む複数のネットワーク装置が属するネットワーク管理グループとの間に信頼関係がある他のネットワーク管理グループに属するユーザ情報を、前記ジョブ管理装置が管理するジョブを管理するためのユーザ情報に反映させる制御手段を有することを特徴とするジョブ管理装置。
【請求項２】
前記制御手段は、前記ネットワーク管理グループの中から前記他のユーザ情報を参照するネットワーク管理グループを設定する設定手段を有することを特徴とする請求項１記載のジョブ管理装置。
【請求項３】
前記設定手段は、前記他のユーザ情報の中から前記ユーザ情報に反映させないものを設定することを特徴とする請求項２記載のジョブ管理装置。
【請求項４】
前記設定手段は、前記他のユーザ情報を前記ユーザ情報に反映させるスケジュールを設定することを特徴とする請求項２又は３記載のジョブ管理装置。
【請求項５】
前記制御手段は、前記ネットワーク管理グループの中から設定されたネットワーク管理グループの他のユーザ情報を、前記設定されたスケジュールに合わせて参照する参照手段と、参照した他のユーザ情報の中からユーザ情報に反映させないものを判別する判別手段と、前記判別された他のユーザ情報と前記ユーザ情報とを同期させる同期手段とを備えることを特徴とする請求項４記載のジョブ管理装置。
【請求項６】
前記設定手段は、ユーザインターフェースにより構成されることを特徴とする請求項２乃至５のいずれか１項に記載のジョブ管理装置。
【請求項７】
前記同期手段は、前記同期させた結果に応じて前記ジョブ管理装置に存在するユーザ情報を削除することを特徴とする請求項５又は６記載のジョブ管理装置。
【請求項８】
前記制御手段は、前記ジョブ管理装置におけるタイマ又はユーザからの取得要求の入力を含む所定のイベントに応答して、前記他のネットワーク管理グループに属するユーザ情報を、前記ユーザ情報に反映することを特徴とする請求項１乃至７のいずれか１項に記載のジョブ管理装置。
【請求項９】
情報処理装置から周辺機器へ出力されたジョブ情報を、ジョブを管理するためのユーザ情報に基づいて管理するジョブ管理装置のジョブ管理方法において、
当該ジョブ管理装置を含む複数のネットワーク装置が属するネットワーク管理グループとの間に信頼関係がある他のネットワーク管理グループに属するユーザ情報を、前記ジョブ管理装置が管理するジョブを管理するためのユーザ情報に反映させる制御工程を有することを特徴とするジョブ管理方法。
【請求項１０】
前記制御工程は、前記ネットワーク管理グループの中から前記他のユーザ情報を参照するネットワーク管理グループを設定する設定工程を有することを特徴とする請求項９記載のジョブ管理方法。
【請求項１１】
前記設定工程は、前記他のユーザ情報の中から前記ユーザ情報に反映させないものを設定することを特徴とする請求項１０記載のジョブ管理方法。
【請求項１２】
前記設定工程は、前記他のユーザ情報を前記ユーザ情報に反映させるスケジュールを設定することを特徴とする請求項１０又は１１記載のジョブ管理方法。
【請求項１３】
前記制御工程は、前記ネットワーク管理グループの中から設定されたネットワーク管理グループの他のユーザ情報を、前記設定されたスケジュールに合わせて参照する参照工程と、参照した他のユーザ情報の中からユーザ情報に反映させないものを判別する判別工程と、前記判別された他のユーザ情報と前記ユーザ情報とを同期させる同期工程とを含むことを特徴とする請求項１２記載のジョブ管理方法。
【請求項１４】
前記同期工程は、前記同期させた結果に応じて前記ジョブ管理装置に存在するユーザ情報を削除することを特徴とする請求項１３記載のジョブ管理方法。
【請求項１５】
前記制御工程は、前記ジョブ管理装置におけるタイマ又はユーザからの取得要求を含む所定のイベントに応じて、前記他のネットワーク管理グループに属するユーザ情報を前記ユーザ情報に反映することを特徴とする請求項９乃至１４のいずれか１項に記載のジョブ管理方法。
【請求項１６】
情報処理装置から周辺機器へ出力されたジョブ情報を、ジョブを管理するためのユーザ情報に基づいて管理するジョブ管理装置を有するジョブ管理システムにおいて、
前記ジョブ管理装置は、当該ジョブ管理装置を含む複数のネットワーク装置が属するネットワーク管理グループとの間に信頼関係がある他のネットワーク管理グループに属するユーザ情報を、前記ジョブ管理装置が管理するジョブを管理するためのユーザ情報に反映させる制御手段を有することを特徴とするジョブ管理システム。
【請求項１７】
情報処理装置から周辺機器へ出力されたジョブ情報を、ジョブを管理するためのユーザ情報に基づいて管理するジョブ管理装置の管理方法をコンピュータに実行させるプログラムにおいて、
当該ジョブ管理装置を含む複数のネットワーク装置が属するネットワーク管理グループとの間に信頼関係がある他のネットワーク管理グループに属するユーザ情報を、前記ジョブ管理装置が管理するジョブを管理するためのユーザ情報に反映させる制御モジュールを有することを特徴とするプログラム。
【請求項１８】
前記制御モジュールは、前記ネットワーク管理グループの中から前記他のユーザ情報を参照するネットワーク管理グループを設定する設定モジュールを有することを特徴とする請求項１７記載のプログラム。
【請求項１９】
前記設定モジュールは、前記他のユーザ情報の中から前記ユーザ情報に反映させないものを設定することを特徴とする請求項１８記載のプログラム。
【請求項２０】
前記設定モジュールは、前記他のユーザ情報を前記ユーザ情報に反映させるスケジュールを設定することを特徴とする請求項１８又は１９記載のプログラム。
【請求項２１】
前記制御モジュールは、前記ネットワーク管理グループの中から設定されたネットワーク管理グループの他のユーザ情報を、前記設定されたスケジュールに合わせて参照する参照モジュールと、参照した他のユーザ情報の中からユーザ情報に反映させないものを判別する判別モジュールと、前記判別された他のユーザ情報と前記ユーザ情報とを同期させる同期モジュールとを備えることを特徴とする請求項２０記載のプログラム。
【請求項２２】
前記同期モジュールは、前記同期させた結果に応じて前記ジョブ管理装置に存在するユーザ情報を削除することを特徴とする請求項２１記載のプログラム。
【請求項２３】
前記制御モジュールは、前記ジョブ管理装置におけるタイマ又はユーザからの取得要求を含む所定のイベントに応じて、前記他のネットワーク管理グループに属するユーザ情報を前記ユーザ情報に反映することを特徴とする請求項１７乃至２２のいずれか１項に記載のプログラム。
【請求項２４】
請求項１７乃至２３のいずれか１項に記載のプログラムを記憶した記憶媒体。
【発明の詳細な説明】
【技術分野】
【０００１】
本発明は、クライアントコンピュータやサーバコンピュータなどで構成されるネットワークにおいて、当該ネットワークに接続されたプリンタ（印刷装置）、複写機、スキャナ、及びそれらを統合したマルチファンクションプリンタ（ＭＦＰ）などの周辺機器（ネットワークデバイス）がユーザにより使用されたときにジョブアカウントを行うジョブ管理装置及び方法、ジョブ管理システム、ジョブ管理プログラム、並びに記憶媒体に関する。
【背景技術】
【０００２】
従来のジョブアカウントシステムでは、例えば、Microsoft社製のオペレーティングシステム（ＯＳ）であるWindows（Ｒ）のNT DomainやWindows（Ｒ）2000から採用されたActive Directoryにより管理されているユーザ情報と同期させる、すなわちジョブアカウントシステムにより管理されているユーザ情報と一致させる場合、ＧＵＩ（Graphical User Interface）を用いてドメインあるいはドメインユーザを指定することにより、ジョブアカウントサーバにドメインユーザを登録する方法が採用されている（例えば、特許文献１参照）。
【特許文献１】特開２００１−２８２４７５号公報
【発明の開示】
【発明が解決しようとする課題】
【０００３】
しかしながら、上記従来のシステムでは、一旦ジョブアカウントサーバにドメインユーザが登録された後、NT DomainやActive Directoryのユーザ情報が追加あるいは削除された場合、マニュアル操作によりユーザ情報の登録又は削除が行われない限り、そのユーザ情報の追加・削除がジョブアカウントシステムに反映されないため、ネットワークデバイスへのユーザのアクセス権、ネットワークファイルシステムへのユーザやネットワークデバイス毎のアクセス権を管理するネットワーク管理システムの一例であるWindows（Ｒ）により管理されているユーザ情報とジョブアカウントシステムにより管理されているユーザ情報との同期が取れないという問題がある。
【０００４】
ユーザのネットワーク上のネットワークデバイスへのアクセスや操作の権限を管理するネットワーク管理システムは、ネットワークデバイスへのユーザのアクセス権、及びネットワークファイルシステムへのユーザやネットワークデバイス毎のアクセス権を管理する。例えば、特定のファイルには、特定のユーザからしかアクセスできないというアクセス権をシステムとして管理するものである。このようなネットワーク管理システムは、ネットワークユーザの追加や削除、変更等を行うことにより、特定のネットワークデバイスへのアクセス権限を追加又は削除又は変更等することができる。
【０００５】
また、ＧＵＩを用いて上記ネットワーク管理システムを管理し、ネットワークデバイスを管理するための単位であるネットワーク管理グループとしてのドメインを指定して、ジョブアカウントサーバにドメインユーザを一括して登録する方法を取る場合、どのドメインにも存在する「Administrator」や「guest」等のユーザ情報が無作為に登録されてしまうため、これら本来ジョブアカウントシステムにおいて管理することが必須でないユーザ情報が登録されてしまうという問題がある。
【０００６】
本発明は、上記問題に鑑みて成されたものであり、ネットワーク管理システム、例えば、Windows（Ｒ）等のＯＳにより管理されているユーザ情報とジョブアカウントシステムにより管理されているユーザ情報との同期を行なうことができ、管理者の手間を軽減することができるジョブ管理装置及び方法、ジョブ管理システム、ジョブ管理プログラム、並びに記憶媒体を提供することを目的とする。
【課題を解決するための手段】
【０００７】
上記目的を達成するために、請求項１記載のジョブ管理装置は、情報処理装置から周辺機器へ出力されたジョブ情報を、ジョブを管理するためのユーザ情報に基づいて管理するジョブ管理装置において、当該ジョブ管理装置を含む複数のネットワーク装置が属するネットワーク管理グループとの間に信頼関係がある他のネットワーク管理グループに属するユーザ情報を、前記ジョブ管理装置が管理するジョブを管理するためのユーザ情報に反映させる制御手段を有することを特徴とする。
【０００８】
上記目的を達成するために、請求項９記載のジョブ管理方法は、情報処理装置から周辺機器へ出力されたジョブ情報を、ジョブを管理するためのユーザ情報に基づいて管理するジョブ管理装置のジョブ管理方法において、当該ジョブ管理装置を含む複数のネットワーク装置が属するネットワーク管理グループとの間に信頼関係がある他のネットワーク管理グループに属するユーザ情報を、前記ジョブ管理装置が管理するジョブを管理するためのユーザ情報に反映させる制御工程を有することを特徴とする。
【０００９】
上記目的を達成するために、請求項１６記載のジョブ管理システムは、情報処理装置から周辺機器へ出力されたジョブ情報を、ジョブを管理するためのユーザ情報に基づいて管理するジョブ管理装置を有するジョブ管理システムにおいて、前記ジョブ管理装置は、当該ジョブ管理装置を含む複数のネットワーク装置が属するネットワーク管理グループとの間に信頼関係がある他のネットワーク管理グループに属するユーザ情報を、前記ジョブ管理装置が管理するジョブを管理するためのユーザ情報に反映させる制御手段を有することを特徴とする。
【００１０】
上記目的を達成するために、請求項１７記載のプログラムは、情報処理装置から周辺機器へ出力されたジョブ情報を、ジョブを管理するためのユーザ情報に基づいて管理するジョブ管理装置の管理方法をコンピュータに実行させるプログラムにおいて、当該ジョブ管理装置を含む複数のネットワーク装置が属するネットワーク管理グループとの間に信頼関係がある他のネットワーク管理グループに属するユーザ情報を、前記ジョブ管理装置が管理するジョブを管理するためのユーザ情報に反映させる制御モジュールを有することを特徴とする。
【発明の効果】
【００１１】
本発明によれば、ジョブ管理装置を含む複数のネットワーク装置が属するネットワーク管理グループとの間に信頼関係がある他のネットワーク管理グループに属するユーザ情報を、前記ジョブ管理装置が管理するジョブを管理するためのユーザ情報に反映させるので、ネットワーク管理システムにより管理されているユーザ情報とジョブアカウントシステムにより管理されているユーザ情報との同期を行なうことができ、管理者の手間を軽減することができる。
【発明を実施するための最良の形態】
【００１２】
以下、本発明の実施の形態を図面を参照して詳細に説明する。なお、本実施の形態に記載されている構成要素の相対配置、表示画面等は、特に記載がない限りは本発明の範囲をそれらのみに限定する趣旨のものではない。
【００１３】
＜ジョブアカウントシステム＞
図１は、本発明の実施の形態に係るジョブ管理装置を有するジョブアカウントシステムの基本的な構成を示す図である。
【００１４】
図１において、本ジョブアカウントシステム（ジョブ管理システム）は、情報処理装置であるクライアントコンピュータ１０１０，１０２０及び拠点サーバコンピュータ１０３０（ジョブ管理装置）と、印刷履歴（ジョブ履歴）を保持するためのジョブ履歴保持機能を備えるプリンタ１０４０と、プリンタ機能、コピー機能、スキャナ機能、及びジョブ履歴保持機能を備えるＭＦＰ（Multi Function Printer）１０５０と、ジョブ履歴保持機能を備えていないプリンタ１０６０とで構成される。
【００１５】
クライアントコンピュータ１０１０，１０２０及び拠点サーバコンピュータ１０３０と、ネットワークデバイス（ネットワーク装置）であるプリンタ１０４０，１０６０及びＭＦＰ１０５０とは、ネットワーク１０８０を介して接続され、互いに通信を行うことができる。また、これらは、ネットワーク１０８０に接続された他の装置（不図示）と通信を行なうことができる。
【００１６】
クライアントコンピュータ１０１０は、ソフトウェア構成として、文書作成を行うためのアプリケーション１０１１と、オペレーションシステム（以下、単に「ＯＳ」という。）の描画エンジンであるＧＤＩ（Graphics device Interface）１０１２と、スプーラ１０１３と、ジョブアカウントクライアントアプリケーション１０１４とを備える。
【００１７】
クライアントコンピュータ１０１０において、アプリケーション１０１１がＧＤＩ１０１２を呼び出すことにより、ＧＤＩ１０１２がアプリケーション１０１１からの指示に応じて印刷データを生成し、印刷データをスプーラ１０１３に送信する。スプーラ１０１３は、ネットワーク１０８０上の周辺機器（プリンタ１０４０，１０６０、ＭＦＰ１０５０）と通信を行い、周辺機器が待機状態であれば印刷データを送信する。なお、クライアントコンピュータ１０１０がプリントサーバとして機能している場合には、ＧＤＩ１０１２が生成した印刷データはスプーラ１０２３に送信される。
【００１８】
ジョブアカウントクライアントアプリケーション１０１４は、アプリケーション１０１１によるＧＤＩ１０１２の呼び出しを監視（フック）し、ＧＤＩ１０１２により生成された印刷データの印刷に関するジョブ情報を取得して不図示の記憶装置に蓄積する。ジョブ情報には、印刷枚数やページ枚数、印刷サイズ、使用する用紙のタイプ、片面印刷か両面印刷であるかの情報、Ｎｉｎ１印刷情報（用紙の片面にＮページの情報を印刷するかを示す情報）、印刷要求を発行したユーザに関する情報（ユーザ情報）、カラー印刷に関する情報（カラー情報）、印刷される文書名の情報（ドキュメント名称）などが含まれる。
【００１９】
また、ジョブアカウントクライアントアプリケーション１０１４は、蓄積したジョブ情報を拠点サーバコンピュータ１０３０内のジョブアカウントサーバアプリケーション１０３１に定期的に送信する。
【００２０】
クライアントコンピュータ１０２０は、上記クライアントコンピュータ１０１０と同様に、アプリケーション１０２１と、ＧＤＩ１０２２と、スプーラ１０２３と、ジョブアカウントクライアントアプリケーション１０２４とを備える。アプリケーション１０２１、ＧＤＩ１０２２、及びスプーラ１０２３は、それぞれ上述したアプリケーション１０１０、ＧＤＩ１０１２、スプーラ１０１３と同じ機能を有する。
【００２１】
ジョブアカウントクライアントアプリケーション１０２４は、定期的にスプーラ１０２３を監視し、スプーラ１０２３にスプールされている印刷ジョブ（ジョブ情報）があるときは、ＡＰＩ（Application Program Interface）を用いてその印刷ジョブを取得して不図示の記憶装置に蓄積する。具体的には、印刷ジョブの排紙枚数、ページ数、ドキュメント名称が取得される。
【００２２】
また、ジョブアカウントクライアントアプリケーション１０２４は、蓄積したジョブ情報を拠点サーバコンピュータ１０３０内のジョブアカウントサーバアプリケーション１０３１に定期的に送信する。なお、クライアントコンピュータ１０２０において、ＯＳがスプーラ１０２３の状態変化を他のアプリケーションに伝える機能を備えているときは、ジョブアカウントクライアントアプリケーション１０２４が定期的にスプーラ１０２３を監視しなくともよい。この場合、ＯＳが、印刷ジョブがスプーラ１０２３にスプールされたことをジョブアカウントクライアントアプリケーション１０２４に伝えることになる。
【００２３】
拠点サーバコンピュータ１０３０は、ネットワーク１０８０に接続されたプリンタ１０４０やＭＦＰ１０５０などの周辺機器がクライアントコンピュータ１０１０等を介してユーザにより使用された際にジョブアカウントを行うジョブアカウントサーバである。拠点サーバコンピュータ１０３０は、Microsoft社製のＯＳであるWindows（Ｒ）NT Serverや2000 Server等が存在するドメイン（ネットワーク管理グループ）と「信頼関係」がある場合、ユーザからの取得要求の入力等に応答してジョブアカウントサーバの要求によって生ずるイベントや、或いはタイマによって生ずる定期的なイベントに応答して、NT DomainやActive Directory等の他のネットワーク管理グループにより管理されているユーザ情報を、ジョブアカウントシステムにより管理されるユーザ情報に反映させることができる。
【００２４】
拠点サーバコンピュータ１０３０は、ソフトウェア構成として、ジョブアカウントサーバアプリケーション１０３１を備える。このジョブアカウントサーバアプリケーション１０３１は、利用者情報管理モジュール１０３１ａと、機器情報管理モジュール１０３１ｂと、ジョブ情報管理モジュール１０３１ｃと、利用状況入出力モジュール１０３１ｄとを備える。
【００２５】
利用者情報管理モジュール１０３１ａは、拠点サーバコンピュータ１０３０内の不図示の記憶装置に利用者情報を保存して管理する。利用者情報は、周辺機器を利用したユーザを特定（識別）するための情報であり、例えば、周辺機器を利用するユーザのコンピュータログイン名（ユーザがコンピュータにログインするために入力する名前）やネットワークログイン名（ユーザがネットワークシステムにログインするために入力する名前）が含まれる。
【００２６】
機器情報管理モジュール１０３１ｂは、ネットワーク１０８０に接続された周辺機器がジョブ履歴保持機能を有しているか否かを調査し、ジョブ履歴保持機能を有している周辺機器やその他の機器の機器情報を不図示の記憶装置に保存して管理している。機器情報は、例えば、周辺機器の印刷スピード、カラー情報、及びネットワークアドレスなどが含まれる。
【００２７】
ジョブ情報管理モジュール１０３１ｃは、ジョブアカウントクライアントアプリケーション１０１４，１０２４からジョブ情報を受信して後述するジョブ履歴データベースとしてＤ／Ｂ１０９０に保存する。また、ジョブ情報管理モジュール１０３１ｃは、ジョブ履歴保持機能を有する周辺機器（例えば、プリンタ１０４０）にジョブ履歴情報（ジョブ情報）を要求し、利用状況入出力モジュール１０３１ｄを介して周辺機器からジョブ情報を受信する。周辺機器にジョブ情報を要求して受信する一連の処理は１回に限られず、定期的に行なわれてもよい。また、周辺機器のジョブ履歴情報格納部（不図示）の記憶容量が少なくなったときには、その旨が利用状況入出力モジュール１０３１ｄに通知され、上記処理が行なわれてもよい。
【００２８】
利用状況入出力モジュール１０３１ｄは、ジョブ履歴保持機能を有する周辺機器からジョブ情報を含む当該周辺機器の利用状況の情報を取得する。利用状況入出力モジュール１０３１ｄは、取得した情報に基づく利用状況レポート（どの利用者がどれだけジョブを実行したかを示すレポート）を周辺機器にプリント出力させたり、モニタ表示させることができる。
【００２９】
図１のジョブアカウントシステムの管理者は、利用状況入出力モジュール１０３１ｄにより利用状況レポートを出力させ、周辺機器の利用状況を知ることができる。すなわち、利用状況入出力モジュール１０３１ｄは、不図示の記憶装置に記憶された利用者情報、機器情報、及びジョブ情報に基づいて様々な利用状況レポートを出力する。管理者は、その出力様式（出力形式）を利用状況入出力モジュール１０３１ｄに対して指定することができる。
【００３０】
この利用状況レポートは、例えば、拠点サーバコンピュータ１０３０の表示部（不図示）にも表示されるが、当該レポートの出力データがクライアントコンピュータ１０１０，１０２０に送信され、その内容がクライアントコンピュータ１０１０，１０２０の表示部（不図示）に表示されるようにしてもよい。
【００３１】
利用状況レポートには、ユーザ毎の利用量（出力に用いられた用紙枚数やトナー量）や周辺機器の利用時間が出力される。また、カラー印刷や両面印刷などの周辺機器の動作モード（機能）別に利用状況が出力され、使用された用紙のサイズや使用された用紙の種類別に利用状況が出力される。さらに、周辺機器の利用料金が機器情報に設定されていることにより、周辺機器別に或いはユーザ別に利用金額が出力される。
【００３２】
また、動作モード別の利用料金、用紙サイズ別の利用料金、用紙の種類別の利用料金が機器情報に設定されていることにより、どのユーザが、どの用紙で、どの動作モードで、どの周辺機器で、どれだけの印刷をして、どれだけの利用金額になっているかが出力される。
【００３３】
管理者は、利用者情報管理モジュール１０３１ａ及び機器情報管理モジュール１０３１ｂを介して機能別、ユーザ別、ユーザ部門別、利用機器別に利用の制限を設定することができる。設定可能な制限情報として、利用料金、ページ数、用紙枚数などの項目がある。
【００３４】
利用状況入出力モジュール１０３１ｄは、設定された制限（制限情報）とジョブ情報とを監視してそれらを照らし合わせ、プリンタ１０４０等の利用が制限を越える場合には、その旨を出力する。その旨の出力は、表示部への表示であっても、メールその他の通信手段によるものであってもよい。
【００３５】
ジョブ情報管理モジュール１０３１ｃが、ユーザ毎の設定された制限とジョブ履歴情報とを監視してそれらを照らし合わせ、特定のユーザの利用が制限を越える場合には、クライアントコンピュータ１０１０や周辺機器自体に、そのユーザの利用を拒否させる。なお、特定のユーザの利用が制限を越える場合には、そのユーザに対して表示部への警告表示やメールその他の通信手段による警告を促してもよい。  
【００３６】
＜コンピュータの制御構成＞
図２は、図１のクライアントコンピュータ及び拠点サーバコンピュータの基本的なハードウェア構成を示すブロック図である。
【００３７】
図２において、クライアントコンピュータ１０１０，１０２０及び拠点サーバコンピュータ１０３０は、ＣＰＵ（中央処理装置）２０１と、ＲＯＭ（読み出し専用メモリ）２０２と、ＲＡＭ（ランダムアクセスメモリ）２０３と、ＫＢＣ（キーボード制御部）２０４と、ＣＲＴ（ディスプレイ制御部）２０５と、ＨＤ（ハードディスク装置）２０６と、通信部２０７と、システムバス２０８とを備える。
【００３８】
ＣＰＵ２０１は、装置全体の制御、演算処理などを行なう。ＲＯＭ２０２は、システム起動プログラムの情報などが格納されている記憶領域を有する。ＲＡＭ２０３は、使用制限のないデータ記憶領域を有する。
【００３９】
ＫＢＣ２０４は、装置に付属するキーボード（不図示）からキー入力を受け付け、ＣＰＵ２０１へ入力データを伝達する。ＣＲＴ２０５は、表示部であるディスプレイ装置に対する表示制御を行なう。ＨＤ２０６は、ＯＳ、アプリケーションプログラム、デバイスドライバ（プリンタドライバ）、及び通信制御用のプログラム、並びにデータ等を記憶する。これらプログラム及びデータは、必要に応じてＲＡＭ２０３にロードされて、ＣＰＵ２０１によって実行される。
【００４０】
拠点サーバコンピュータ１０３０内のＨＤ２０６には、後述するジョブ管理プログラム、並びに利用者情報、機器情報、及びジョブ情報（ジョブ履歴データベース）が格納される。なお、ＨＤ２０６は、他にもＦＤ（フロッピー（Ｒ）ディスク）、ＳＲＡＭ（不揮発性記憶メモリ）、ＣＤ−ＲＯＭなどの外部記憶装置に代替可能である。
【００４１】
通信部２０７は、ネットワーク通信を制御するものである。この通信部２０７によりネットワーク１０８０に接続されている他のコンピュータや周辺機器との通信が可能となる。システムバス２０８は、上記ＣＰＵ２０１、ＲＯＭ２０２等の各構成要素間を接続し、データのやり取りが行われる。なお、図示していないが、クライアントコンピュータ１０１０等は、操作部としてマウス等のポインティングデバイスを有する。
【００４２】
＜メモリマップ＞
次に、上述したＦＤやＣＤ−ＲＯＭに記憶されているジョブ管理プログラムや関連データ等のメモリマップ（記憶領域）を図３に示し、ＦＤ等からＲＡＭ２０３にロードされ、ＣＰＵ２０１により実行可能となったジョブ管理プログラム等のメモリマップを図４に示す。
【００４３】
図３において、メモリマップ４００は、ボリューム情報４０１、ディレクトリ情報４０２、ジョブ管理プログラムのアプリケーション実行ファイル４０３、及びジョブアカウントの関連データファイル４０４等により構成される。
【００４４】
一方、図４に示すように、メモリマップ３００は、基本Ｉ／Ｏプログラム３０１、オペレーティングシステム３０２、ジョブ管理プログラム３０３（本実施の形態におけるユーザ同期処理に関するプログラムもここに含まれる）、関連データ３０４、及びＣＰＵ２０１がジョブ管理プログラム３０３などのプログラムを実行するときに使用するワークエリア３０５により構成される。
【００４５】
＜周辺機器の制御構成＞
図５は、図１の周辺機器の基本的なハードウェア構成を示すブロック図である。
【００４６】
図５において、周辺機器であるプリンタ１０４０，１０６０及びＭＦＰ１０５０は、基本的なハードウェア構成として、コントローラ部６０５と、周辺機器のエンジン部６０６と、通信部６０７と、システムバス６０８とを備える。コントローラ部６０５は、ＣＰＵ６０１、ＲＯＭ６０２、ＲＡＭ６０３、及びＨＤ６０４を備え、機器全体を制御する。
【００４７】
ＣＰＵ６０１は、コントローラ部６０５及び周辺機器全体の制御、演算処理などを行なう。ＲＯＭ６０２は、読み出し専用メモリであり、システム起動プログラムなどを記憶する記憶領域を有する。ＲＡＭ６０３は、ランダムアクセスメモリであり、データ記憶領域を有する。ＨＤ６０４は、ハードディスク装置であるが、ＳＲＡＭなどの他の不揮発性記憶装置に代替可能である。
【００４８】
ジョブ履歴保持機能を有するプリンタ１０４０及びＭＦＰ１０５０は、ジョブ履歴情報をＲＡＭ６０３或いはＨＤ６０４に格納している。また、オペレーティングシステム、通信制御用のプログラム、及びエンジン部制御用のプログラムは、ＲＡＭ６０３にロードされて、ＣＰＵ６０１によって実行される。
【００４９】
エンジン部６０６は、具体的には、プリンタエンジンやスキャナエンジン、或いはその両方から構成される。また、コントローラ部６０５の制御の下、それらが印刷動作や画像読み取り動作を行なう。通信部６０７は、ネットワーク通信を制御するものである。この通信部６０７によって、周辺機器は、クライアントコンピュータ１０１０や拠点サーバコンピュータ１０３０との通信が可能となる。システムバス６０８は、上記ＣＰＵ６０１等の各構成要素間を接続し、データのやり取りが行われる。  
【００５０】
＜ジョブ管理処理＞
図６は、図１のジョブ情報管理モジュール１０３１ｃの機能構成を示すブロック図である。
【００５１】
図６において、ジョブ情報管理モジュール１０３１ｃは、ジョブ情報受信部７０１と、ジョブ情報登録部７０２と、ジョブ履歴データベース７０３とを備える。
【００５２】
ジョブ情報受信部７０１は、ジョブアカウントクライアントアプリケーション１０１４，１０２４及びジョブ履歴保持機能を有するプリンタ１０４０，ＭＦＰ１０５０からネットワーク１０８０を介してジョブ情報を受信する。ジョブ情報登録部７０２は、ジョブ情報受信部７０１により受信されたジョブ情報をジョブ履歴データベース７０３に登録する。
【００５３】
ジョブ履歴データベース７０３のデータが参照されることにより、いつ、誰が、どの周辺機器で、どれくらいの量の（ページ数、排紙枚数、用紙タイプ）ジョブを実行したかを判別することができ、詳細なジョブアカウントが行なわれる。
【００５４】
＜ユーザ同期処理の流れ＞
次に、拠点サーバコンピュータ１０３０において、Windows（Ｒ）のドメインユーザを自動登録するための設定方法を説明する。
【００５５】
まず、ジョブアカウントシステムにより管理されているユーザ情報と同期を取るWindows（Ｒ）のドメイン（以下、単に「ドメイン」という。）を設定する処理について図７、図８を用いて説明する。なお、以下に示す処理は、原則として拠点サーバコンピュータ１０３０内のＣＰＵ２０１がＲＯＭ２０２等に格納されたプログラムコードを読み出して実行されるものである。
【００５６】
図７は、ジョブアカウントシステムのユーザ情報と同期を取るドメインを設定する処理を示すフローチャートであり、図８は、図７の処理をＣＰＵに実行させるためのＧＵＩの一例を示す図である。図７の処理は、図１の１０３１aの利用者管理モジュールにて実行されるものである。
【００５７】
図７において、ステップＳ８０１では、拠点サーバコンピュータ１０３０から参照が可能なドメインを取得し、ドメイン名をリスト状にしてダイアログに表示する。その状態を示したのが図８の９０１であり、ここに参照可能な全てのドメインがリスト表示される。本ダイアログは、参照可能なドメインの中から所定のＯＳにより管理されているユーザ情報を参照するためのドメインを設定する「ドメイン」タブと、設定されたドメインのユーザ情報の中からジョブアカウントシステムのユーザ情報に反映させないものを設定する「ユーザ」タブと、設定されたドメインのユーザ情報とジョブアカウントシステムのユーザ情報との同期を取るスケジュールを設定するスケジュールタブとを選択することにより各設定を行うことができる。
【００５８】
次に、ステップＳ８０２では、設定を終了するか否かを判別する。ここで、ユーザがポインティングデバイス等により図８に示すＯＫボタン９０５が押された場合は（ステップＳ８０２でＹＥＳ）、ステップＳ８１０へ移行する一方、キャンセルボタン９０６が押された場合は、ユーザ情報を参照するドメインが設定されていても、該ドメインを登録・保存せずに本処理を終了する。それ以外の場合は（ステップＳ８０２でＮＯ）、ステップＳ８０３へ移行する。
【００５９】
ステップＳ８０３では、選択可能なドメインのリストが選択されたか、ユーザ情報を参照するドメインのリストが選択されたかを判別する。ここでいう「ユーザ情報を参照するドメイン」とは、拠点サーバコンピュータ１０３０により管理されているユーザ情報と同期を取るドメインであり、既にユーザを参照するドメインが選択され、登録されているときは、図８の９０３にドメインがリスト表示されている。図示では、ユーザ情報を参照するドメインが未登録の状態にある。
【００６０】
ステップＳ８０３の判別の結果、選択可能なドメインのリストが選択された場合、すなわち図８の９０１にリスト表示されているドメインの中から少なくとも１つのドメインが選択された場合は、ステップＳ８０４へ移行する一方、ユーザ情報を参照するドメインのリストが選択された場合、すなわち図８の９０３にリスト表示されているドメインの中から少なくとも１つのドメインが選択された場合は、ステップＳ８０８へ移行する。
【００６１】
ステップＳ８０４では、図８の９０１にリスト表示されているドメインの中から同期を取るドメインが選択された後に、ユーザにより図８の追加ボタン９０２が押されたか否かを判別する。この判別の結果、追加ボタン９０２が押されていないときは（ステップＳ８０４でＮＯ）、ステップＳ８０２に戻る一方、追加ボタン９０２が押されたときは（ステップＳ８０４でＹＥＳ）、ステップＳ８０５において、ステップＳ８０３で選択されたドメインを有するドメインと拠点サーバコンピュータ１０３０が存在するドメインとの間に「信頼関係」があるか否かを判別する。信頼関係を判定する処理は、例えば、図１の利用者管理モジュール１０３１ａに含まれる信頼関係判定プログラムに基づいて実行される。
【００６２】
ドメイン間の信頼とは、２つのドメイン間に確立される関係であり、これを利用すると一方のドメイン内のユーザは、他方のドメインのドメインコントローラ（例えば、拠点サーバコンピュータ１０３０）の認証を受けることができる。信頼関係の有無を問い合せる際の認証の要求は、信頼のパスを考慮する。信頼のパスとは、認証の要求がドメイン間で渡されるときに参照される信頼関係のことである。信頼関係は、例えば、Ａ装置、Ｂ装置、及びＣ装置が存在する場合、「ＡはＢを信頼するが、ＢはＡを信頼しない」又は「ＢがＣから信頼されているならば、ＡはＢを信頼する」などと定義可能である。
【００６３】
ユーザのクライアントコンピュータが別のドメインのネットワークデバイスにアクセスするには、信頼する側のドメイン（ユーザがアクセスしようとしているネットワークデバイスが含まれているドメイン）が信頼される側のドメイン（ユーザーのログオンドメイン）との間に信頼関係を持っているかどうかを信頼関係判定プログラムに問い合せなければならない。このとき、信頼する側のドメインのドメインコントローラと信頼される側のドメインのドメインコントローラとの間の信頼のパスを自己のデータベースを信頼関係判定プログラムが参照し、信頼関係を判定して、その判定結果をユーザのクライアントコンピュータに応答する。
【００６４】
ステップＳ８０５の判別の結果、「信頼関係」がないときは（ステップＳ８０５でＮＯ）、ステップＳ８０７において、その旨を通知する警告ダイアログを表示し、ステップＳ８０２に戻る。一方、「信頼関係」があるときは（ステップＳ８０５でＹＥＳ）、図８の９０３にステップＳ８０３で選択されたドメインを追加してステップＳ８０２に戻る。
【００６５】
一方、ステップＳ８０８では、図８の９０３にリスト表示されているドメインの中からドメインが選択された後に、図８の削除ボタン９０４が押されたか否かを判別する。この判別の結果、削除ボタン９０４が押されていないときは（ステップＳ８０８でＮＯ）、ステップＳ８０２に戻る一方、削除ボタン９０４が押されたときは（ステップＳ８０８でＹＥＳ）、ステップＳ８０９において、図８の９０３にリスト表示されたドメインの中からステップＳ８０３で選択されたドメインを削除してステップＳ８０２に戻る。
【００６６】
ステップＳ８１０では、設定されたドメイン、すなわち図８の９０３にリスト表示されたドメインを有するドメインのユーザ情報をＤ／Ｂ１０９０に登録・保存して、本処理を終了する。
【００６７】
上記処理によって、ジョブアカウントシステムが参照可能な全てのWindows（Ｒ）ドメインの中から拠点サーバコンピュータ１０３０にユーザ情報を登録するドメインを指定することができ、その情報をデータベースに登録・保存することが可能である。
【００６８】
次に、Windows（Ｒ）ドメインには存在しているが、ジョブアカウントシステムには登録不要なユーザ情報を設定する方法を説明する。
【００６９】
「Windows（Ｒ）ドメインには存在しているが、ジョブアカウントシステムには登録不要なユーザ」の具体例としては、どのドメインにも存在する「Administrator」や「guest」などのユーザやジョブアカウントの対象から除外したいユーザなどである。これらを予め設定登録しておくことにより、ドメインユーザの自動登録の対象から外すことが可能である。自動登録の対象外とするユーザの設定方法を図９及び図１０を用いて説明する。
【００７０】
図９は、ドメインユーザの自動登録の対象外となるユーザを設定する処理を示すフローチャートであり、図１０は、図９の処理をＣＰＵに実行させるためのＧＵＩの一例を示す図である。図９の処理は、図１の１０３１aの利用者管理モジュールにて実行される。
【００７１】
図９において、ステップＳ１００１では、設定を終了するか否かを判別する。ここで、ユーザにより図１０に示すＯＫボタン１１０６が押された場合は（ステップＳ１００１でＹＥＳ）、ステップＳ１００８へ移行する一方、キャンセルボタン１１０７が押された場合は、設定された情報を登録・保存せずに本処理を終了する。それ以外の場合は（ステップＳ１００１でＮＯ）、ステップＳ１００２へ移行する。
【００７２】
ステップＳ１００２では、図１０の１１０１に登録しないユーザが入力されたか否かを判別する。ここでいう「登録しないユーザ」とは、拠点サーバコンピュータ１０３０へのユーザ情報の自動登録の対象外となるドメインユーザを示している。具体的には、上述したように、「Administrator」、「guest」等のユーザやジョブアカウントの対象から除外したいユーザである。
【００７３】
ステップＳ１００２の判別の結果、ユーザ名がキー入力された場合は（ステップＳ１００２でＹＥＳ）、ステップＳ１００３において、図１０の追加ボタン１１０２が押されたか否かを判別する。この判別の結果、追加ボタン１１０２が押された場合は（ステップＳ１００３でＹＥＳ）、ステップＳ１００４において、ステップＳ１００２で入力されたユーザを図１０の１１０３の登録しないユーザのリストに追加する。
【００７４】
次に、ステップＳ１００５において、登録しないユーザリストが選択されたか否かを判別し、登録しないユーザのリストの中から少なくとも１つのユーザが選択された場合は（ステップＳ１００５でＹＥＳ）、ステップＳ１００６に移行し、図１０に示す削除ボタン１１０４が押されたか否かを判別する。この判別の結果、削除ボタン１１０４が押された場合は（ステップＳ１００６でＹＥＳ）、ステップＳ１００７において、登録するユーザリストの中からステップＳ１００５で選択されたユーザを削除してステップＳ１００１へ戻る。
【００７５】
ステップＳ１００８では、図１０の１１０３にリスト表示された自動登録対象外のユーザの情報をＤ／Ｂ１０９０に登録・保存してステップＳ１００９へ移行する。次に、ステップＳ１００９では、ドメインに存在しないユーザのユーザ情報を拠点サーバコンピュータ１０３０から削除する設定になっているか否かを判別する。具体的には、図１０の１１０５のチェックボックスにチェックがあるか否かを判別する。削除する設定になっている場合は（ステップＳ１００９でＹＥＳ）、削除設定の情報をＤ／Ｂ１０９０に登録・保存して（ステップＳ１０１０）、本処理を終了する。
【００７６】
上記処理によって、拠点サーバコンピュータ１０３０へ自動登録しないWindows（Ｒ）のドメインユーザを設定することができ、またその情報をデータベースに登録・保存することが可能である。
【００７７】
次に、ドメインユーザの自動登録を定期的に実行するための設定方法を図１１及び図１２を用いて説明する。
【００７８】
図１１は、ドメインユーザの自動登録を実行する時間を設定するための処理を示すフローチャートであり、図１２は、図１１の処理をＣＰＵに実行させるためのＧＵＩの一例を示す図である。図１１の処理は、図１の１０３１aの利用者管理モジュールにて実行される。
【００７９】
図１１において、ステップＳ１２０１では、設定を終了するか否かを判別する。ここで、ユーザにより図１２に示すＯＫボタン１３０４が押された場合は（ステップＳ１２０１でＹＥＳ）、ステップＳ１２０７へ移行する一方、キャンセルボタン１３０５が押された場合は、設定された情報を登録・保存せずに本処理を終了する。それ以外の場合は（ステップＳ１２０１でＮＯ）、ステップＳ１２０２へ移行する。
【００８０】
ステップＳ１２０２では、拠点サーバコンピュータ１０３０が定期的にドメインを参照する参照間隔が設定されたか否かを判別する。ここでは、図１２の１３０１のドロップダウンリストにより、「参照しない」、「１日ごと」、「１週ごと」、「１ヵ月ごと」のいずれかが選択可能である。ステップＳ１２０２の判別の結果、参照間隔が設定された場合は（ステップＳ１２０２でＹＥＳ）、どの参照間隔が選択されたかを判別する（ステップＳ１２０３）。
【００８１】
ステップＳ１２０３において、参照間隔として「１日ごと」が選択された場合は、ステップＳ１２０６に移行し、自動登録の実行時刻の設定処理を行い、ステップＳ１２０１へ戻る。ステップＳ１２０６では、図１２の１３０３のドロップダウンリストにより、０時から２３時まで１時間単位の実行時刻の設定が可能である。一方、参照間隔として「１週ごと」が選択された場合は、ステップＳ１２０４において、実行曜日の設定処理を行い、ステップＳ１２０６へ移行する。ステップＳ１２０４では、図１２の１３０２のドロップダウンリストにより、日曜から土曜までの曜日の選択が可能である。
【００８２】
ステップＳ１２０３において、参照間隔として「１ヶ月ごと」が選択された場合は、ステップＳ１２０５において、実行日の設定処理を行い、ステップＳ１２０６へ移行する。ステップＳ１２０５では、図１２の１３０２のドロップダウンリストにより、実行日の選択が可能である。なお、図示では、１３０２に実行曜日及び実行日がドロップダウンリストにより表示されることになっているが、それぞれが独立したドロップダウンリストにより表示されてもよい。
【００８３】
ステップＳ１２０７では、ステップＳ１２０１〜Ｓ１２０６にて設定されたドメインユーザの自動登録を実行する際のスケジュール情報をＤ／Ｂ１０９０に登録・保存して本処理を終了する。
【００８４】
上記処理によって、拠点サーバコンピュータ１０３０において、ドメインユーザの自動登録処理を実行する時間を設定することができ、またその情報をデータベースに登録・保存することが可能である。
【００８５】
次に、上述した処理により設定されたドメインユーザの自動登録に関する情報に基づいて、拠点サーバコンピュータ１０３０が定期処理として実行するドメインユーザの登録および削除処理について図１３を用いて説明する。
【００８６】
図１３は、ドメインユーザの自動登録および削除する処理を示すフローチャートである。図１３の処理は、図１の１０３１aの利用者管理モジュールにて実行される。
【００８７】
図１３において、まず、ステップＳ１４０１では、定期処理を実行する時間（定期処理時間）をＤ／Ｂ１０９０に登録された情報から参照する。次に、ステップＳ１４０２において、拠点サーバコンピュータ１０３０がカウントする時間が定期処理を実行する時間になったか否かを判別する。この判別の結果、定期処理時間に達していない場合は（ステップＳ１４０２でＮＯ）、定期処理時間に達するまでカウント処理を繰り返す。一方、定期処理時間になった場合は（ステップＳ１４０２でＹＥＳ）、ステップＳ１４０３において、ユーザ情報を参照するドメインの情報をＤ／Ｂ１０９０に登録された情報から参照する。
【００８８】
次に、ステップＳ１４０４において、登録対象外のユーザ情報をＤ／Ｂ１０９０に登録された情報から参照し、ステップＳ１４０５において、拠点サーバコンピュータ１０３０内のＤ／Ｂ１０９０に登録されているユーザ情報を参照する。次に、ステップＳ１４０６において、自動登録の対象となるドメインからユーザ情報を参照し、ステップＳ１４０７において、ステップＳ１４０６で参照したユーザ情報が登録対象外であるか否かを判別する。この判別の結果、登録対象外である場合は（ステップＳ１４０７でＹＥＳ）、ステップＳ１４０９へ移行する。一方、登録対象外でない場合は（ステップＳ１４０７でＮＯ）、ステップＳ１４０８において、拠点サーバコンピュータ１０３０内のＤ／Ｂ１０９０にユーザ情報を登録する。
【００８９】
ステップＳ１４０９では、対象ドメインにおいて、未確認のユーザが存在するか否かを判別し、存在する場合は（ステップＳ１４０９でＹＥＳ）、ステップＳ１４０６へ戻る。一方、未確認のユーザが存在しない場合は（ステップＳ１４０９でＮＯ）、ステップＳ１４１０において、未確認のドメインが存在するか否かを判別する。
【００９０】
ステップＳ１４１０の判別の結果、未確認のドメインが存在する場合は（ステップＳ１４１０でＹＥＳ）、ステップＳ１４０６に戻り、他のドメインについてユーザ情報を参照する。一方、未確認のドメインが存在しない場合は（ステップＳ１４１０でＮＯ）、ステップＳ１４１１において、対象ドメインに存在しないユーザであって、拠点サーバコンピュータ１０３０に存在するユーザを削除する設定になっているか否かを判別する。
【００９１】
ステップＳ１４１１の判別の結果、拠点サーバコンピュータ１０３０に存在するユーザを削除しない設定になっている場合は（ステップＳ１４１１でＮＯ）、ステップＳ１４０１に戻り、次の定期処理時間を参照する。一方、拠点サーバコンピュータ１０３０に存在するユーザを削除する設定の場合は（ステップＳ１４１１でＹＥＳ）、ステップＳ１４１２において、ステップＳ１４０５で参照したユーザ情報に存在し、対象ドメインから参照したユーザ情報に存在しないユーザ情報をＤ／Ｂ１０９０から削除してステップＳ１４０１に戻る。
【００９２】
上記処理により、ドメインにより管理されているユーザ情報とジョブアカウントシステムにより管理されているユーザ情報との同期を自動的に行なうことができる。
【００９３】
本実施の形態によれば、拠点サーバコンピュータ１０３０が存在するドメインとの間に信頼関係があるオペレーティングシステムのドメインにより管理されているユーザ情報が追加あるいは削除された場合に、その情報が即時又は定期的にジョブアカウントシステムのユーザ情報に反映されると共に、ジョブアカウントシステムに不要なユーザが自動的に除外されるので、必要なユーザ情報のみを自動登録および削除することができ、ジョブアカウントシステムにおけるユーザ管理の利便性を向上させることができる。また、管理者の手間を軽減することができる。
【００９４】
本発明の目的は、上記実施の形態の機能を実現するソフトウェア（制御プログラム）のプログラムコードを記録した記憶媒体（図３）を、図１４に示すコンピュータに供給し、そのコンピュータ（ＣＰＵ２０１）が記憶媒体に記憶されたプログラムコードを読み出して実行することによっても達成される。
【００９５】
図３に示すプログラムやデータをコンピュータに供給する方法としては、図１４に示すように、プログラム等をＣＤ−ＲＯＭ５００に記憶させてコンピュータ本体５０２に（ＣＤ−ＲＯＭドライブ５０１を介して）供給する方法が一般的である。この場合、記憶媒体から読み出されたプログラムコード自体が上述した実施の形態の機能を実現することになり、そのプログラムコードを記憶した記憶媒体は本発明を構成することになる。
【００９６】
また、プログラムコードを供給するための記憶媒体としては、例えば、Ｄ−ＲＯＭやハードディスク以外にも、フロッピー（Ｒ）ディスク、光ディスク、光磁気ディスク、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００９７】
また、コンピュータが読み出したプログラムコードを実行することにより、上記実施の形態の機能が実現されるだけでなく、そのプログラムコードの指示に基づき、コンピュータ上で稼動しているＯＳ等が実際の処理の一部または全部を行い、その処理によって上述した実施の形態の機能が実現される場合も含まれる。
【００９８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれることは云うまでもない。
【図面の簡単な説明】
【００９９】
【図１】本発明の実施の形態に係るジョブ管理装置を有するジョブアカウントシステムの基本的な構成を示す図である。
【図２】図１のクライアントコンピュータ及び拠点サーバコンピュータの基本的なハードウェア構成を示すブロック図である。
【図３】ＦＤやＣＤ−ＲＯＭに記憶されているジョブ管理プログラムや関連データ等のメモリマップを示す図である。
【図４】ＦＤ等からＲＡＭにロードされ、ＣＰＵにより実行可能となったジョブ管理プログラム等のメモリマップを示す図である。
【図５】図１の周辺機器の基本的なハードウェア構成を示すブロック図である。
【図６】図１のジョブ情報管理モジュール１０３１ｃの機能構成を示すブロック図である。
【図７】ジョブアカウントシステムのユーザ情報と同期を取るドメインを設定する処理を示すフローチャートである。
【図８】図７の処理をＣＰＵに実行させるためのＧＵＩの一例を示す図である。
【図９】ドメインユーザの自動登録の対象外となるユーザを設定する処理を示すフローチャートである。
【図１０】図９の処理をＣＰＵに実行させるためのＧＵＩの一例を示す図である。
【図１１】ドメインユーザの自動登録を実行する時間を設定するための処理を示すフローチャートである。
【図１２】図１１の処理をＣＰＵに実行させるためのＧＵＩの一例を示す図である。
【図１３】ドメインユーザの自動登録および削除する処理を示すフローチャートである。
【図１４】図４に示すプログラムやデータをコンピュータに供給する方法を説明するための図である。
【符号の説明】
【０１００】
１０１０，１０２０  クライアントコンピュータ
１０１１，１０２１  アプリケーション
１０１２，１０２２  ＧＤＩ
１０１３，１０２３  スプーラ
１０１４，１０２４  ジョブアカウントクライアントアプリケーション
１０３０  拠点サーバコンピュータ
１０３１  ジョブアカウント拠点サーバアプリケーション
１０４０，１０６０  プリンタ
１０５０  ＭＦＰ
【図１】
2005284950.tif 000003
【図２】
2005284950.tif 000004
【図３】
2005284950.tif 000005
【図４】
2005284950.tif 000006
【図５】
2005284950.tif 000007
【図６】
2005284950.tif 000008
【図７】
2005284950.tif 000009
【図８】
2005284950.tif 000010
【図９】
2005284950.tif 000011
【図１０】
2005284950.tif 000012
【図１１】
2005284950.tif 000013
【図１２】
2005284950.tif 000014
【図１３】
2005284950.tif 000015
【図１４】
2005284950.tif 000016